【手続補正書】
【提出日】平成19年11月14日(2007.11.14)
【手続補正１】
【補正対象書類名】特許請求の範囲
【補正対象項目名】全文
【補正方法】変更
【補正の内容】
【特許請求の範囲】
【請求項１】
複数の画像単位（６１０）からなる画像ブロック（６００）を圧縮する方法であって、
前記複数の画像単位（６１０）の色の表現である色コードワード（７２０）を判定するステップと、
前記複数の画像単位（６１０）の少なくとも１つのアルファ値の表現である複数の量子化アルファ値（７４０Ａ、７４０Ｂ）を備えるアルファコードワード（７４０）を提供するステップと、
前記複数の画像単位（６１０）の強度を変更するための複数の強度変更子のセットの表現である強度コードワード（７３０）を提供するステップと、
画像単位関連インデックスのインデックスシーケンス（７５０）を提供するステップと、
前記アルファコードワード（７４０）に基づいて、圧縮モードを選択するステップと、
を備え、
前記選択された圧縮モードが第１の圧縮モードである場合、前記インデックスシーケンス（７５０）は、前記画像ブロック（６００）中の少なくとも１つの画像単位（６１０）を有するサブセット毎に、前記強度変更子セットの１つの強度変更子と関連付けられる強度インデックスを備える第１のインデックスサブシーケンス（７５０Ｂ）と、前記複数の画像単位（６１０）の少なくとも一部にある画像単位（６１０）毎に、前記複数の量子化アルファ値（７４０Ａ、７４０Ｂ）の１つの量子化アルファ値と関連付けられるアルファインデックスを備える第２のインデックスサブシーケンス（７５０Ａ）とを備え、
前記選択された圧縮モードが第２の圧縮モードである場合には、前記インデックスシーケンス（７５０）は、前記画像ブロック（６００）中の画像単位（６１０）毎に、前記強度変更子セットの１つの強度変更子と関連付けられる強度インデックスを備える方法。
【請求項２】
前記モードを選択するステップは、前記アルファコードワード（７４０）の前記複数の量子化アルファ値（７４０Ａ、７４０Ｂ）のうちの少なくとも１つに基づいて、前記圧縮モードを選択するステップを備える請求項１記載の方法。
【請求項３】
前記モードを選択するステップは、
前記複数の量子化アルファ値（７４０Ａ、７４０Ｂ）が異なる場合、前記第１の圧縮モードを選択するステップと、
前記複数の量子化アルファ値（７４０Ａ、７４０Ｂ）が等しい場合、前記第２の圧縮モードを選択するステップと、
を備える請求項２記載の方法。
【請求項４】
前記強度コードワードを提供するステップは、前記圧縮モードを選択した後に実行される請求項１から３のいずれか１項に記載の方法。
【請求項５】
前記サブセットの各々は、前記画像ブロック（６００）中の２つの隣接する画像単位（６１０）を備える請求項１から４のいずれか１項に記載の方法。
【請求項６】
前記サブセットの各々は、１つの画像単位（６１０）を備え、前記強度インデックスは、前記強度変更子セットのサブセットの１つの強度変更子と関連付けられる請求項１から４のいずれか１項に記載の方法。
【請求項７】
前記第２のインデックスサブシーケンス（７５０Ａ）は、前記複数の画像単位（６１０）の第１の部分にある画像単位（６１０）毎に、前記複数の量子化アルファ値（７４０Ａ、７４０Ｂ）からの１つの量子化アルファ値と関連付けられるアルファインデックスを備え、前記複数の画像単位（６１０）の残る第２の部分にある各画像単位（６１０）は、前記複数の量子化アルファ値（７４０Ａ、７４０Ｂ）の１つの所定の量子化アルファ値と関連付けられる請求項１から６のいずれか１項に記載の方法。
【請求項８】
画像を符号化する方法であって、
前記画像を、各々が複数の画像単位（６１０）を備える複数の画像ブロック（６００）に分解するステップと、
少なくとも１つの画像ブロック（６００）に対して、請求項１から７のいずれか１項に基づき前記少なくとも１つの画像ブロック（６００）を圧縮することにより、圧縮画像ブロック表現（７００）を判定するステップと、
を備える方法。
【請求項９】
複数の画像単位（６１０）からなる画像ブロック（６００）の圧縮画像ブロック表現（７００）であり、色コードワード（７２０）、アルファコードワード（７４０）、強度コードワード（７３０）、及び、画像単位関連インデックスを有するインデックスシーケンス（７５０）を備える圧縮画像ブロック表現（７００）を処理する方法であって、
前記アルファコードワード（７４０）に基づいて、伸張モードを選択するステップと、
前記強度コードワード（７３０）に基づいて、複数の強度変更子から成るセットを提供するステップと、
前記画像ブロック（６００）中の少なくとも１つの画像単位（６１０）について、
前記色コードワード（７２０）に基づいて、色表現を生成するステップと、
前記インデックスシーケンス（７５０）に基づいて、前記強度変更子セットから１つの強度変更子を選択するステップと、
前記選択された強度変更子に基づいて、前記少なくとも１つの画像単位（６１０）の強度を変更するステップと、
前記アルファコードワード（７４０）に基づいて、少なくとも１つのアルファ値を生成するステップと、
を備え、
前記選択された伸張モードが第１の伸張モードである場合、前記方法は、
前記少なくとも１つの画像単位（６１０）に対して、前記アルファコードワード（７４０）に基づいて生成された複数のアルファ値から１つのアルファ値を選択するステップと、
前記選択されたアルファ値を前記少なくとも１つの画像単位（６１０）に割り当てるステップと、
を備え、
前記選択された伸張モードが第２の伸張モードである場合、前記方法は、
前記少なくとも１つのアルファ値を前記少なくとも１つの画像単位（６１０）に割り当てるステップを備える方法。
【請求項１０】
前記モードを選択するステップは、前記アルファコードワード（７４０）により表される複数の量子化アルファ値（７４０Ａ、７４０Ｂ）のうちの少なくとも１つの量子化アルファ値（７４０Ａ）に基づいて、前記伸張モードを選択するステップを備える請求項９記載の方法。
【請求項１１】
前記モードを選択するステップは、
前記複数の量子化アルファ値（７４０Ａ、７４０Ｂ）が異なる場合、前記第１の伸張モードを選択するステップと、
前記複数の量子化アルファ値（７４０Ａ、７４０Ｂ）が等しい場合、前記第２の伸張モードを選択するステップと、
を備える請求項１０記載の方法。
【請求項１２】
前記変更子セットを提供するステップは、前記伸張モードを選択した後に実行される請求項９から１１のいずれか１項に記載の方法。
【請求項１３】
前記第１の伸張モードにあるとき、前記インデックスシーケンス（７５０）は、前記画像ブロック（６００）中の少なくとも１つの画像単位（６１０）を有するサブセット毎に、前記強度変更子セットの１つの強度変更子と関連付けられる強度インデックスを備える第１のインデックスサブシーケンス（７５０Ｂ）と、前記複数の画像単位（６１０）の少なくとも一部にある画像単位（６１０）毎に、前記複数のアルファ値からの１つのアルファ値と関連付けられるアルファインデックスを備える第２のインデックスサブシーケンス（７５０Ａ）とを備え、前記第２の伸張モードにあるとき、前記インデックスシーケンス（７５０）は、前記画像ブロック（６００）中の画像単位（６１０）毎に、前記強度変更子セットの１つの強度変更子と関連付けられる強度インデックスを備える請求項９から１２のいずれか１項に記載の方法。
【請求項１４】
前記第２のインデックスサブシーケンス（７５０Ａ）は、前記複数の画像単位（６１０）の第１の部分にある画像単位（６１０）毎に、前記複数のアルファ値からの１つのアルファ値と関連付けられるアルファインデックスを備え、前記複数の画像単位（６１０）の残る第２の部分にある各画像単位（６１０）は、前記複数のアルファ値からの１つの所定のアルファ値と関連付けられる請求項１３記載の方法。
【請求項１５】
前記選択するステップは、前記選択された伸張モードが前記第１の伸張モードである場合、
前記少なくとも１つの画像単位（６１０）が前記複数の画像単位の前記第１の部分に属するならば、前記インデックスシーケンス（７５０）に基づいて、前記複数のアルファ値から前記アルファ値を選択するステップと、
前記少なくとも１つの画像単位（６１０）が前記複数の画像単位（６１０）の前記残る第２の部分に属するならば、前記事前定義済みアルファ値を選択するステップと、
を備える請求項１４記載の方法。
【請求項１６】
各々が複数の画像単位（６１０）を備える複数の画像ブロック（６００）の圧縮画像ブロック表現（７００）であり、色コードワード（７２０）、アルファコードワード（７４０）、強度コードワード（７３０）、及び、画像単位関連インデックスを有するインデックスシーケンス（７５０）を備える圧縮画像ブロック表現（７００）を備える符号化画像を復号する方法であって、
少なくとも１つの圧縮画像ブロック表現（７００）に対して、請求項９から１５のいずれか１項に基づいて前記少なくとも１つの圧縮画像ブロック表現（７００）を処理することにより、少なくとも１つの伸張画像単位表現（６１０）を判定するステップと、
前記少なくとも１つの伸張画像単位表現（６１０）を処理することにより、画像を生成するステップと、
を備える方法。
【請求項１７】
複数の画像単位（６１０）からなる画像ブロック（６００）を圧縮するシステム（３００）であって、
前記複数の画像単位（６１０）の色の表現である色コードワード（７２０）を判定する色量子化器（３２０）と、
前記複数の画像単位（６１０）の少なくとも１つのアルファ値の表現である複数の量子化アルファ値（７４０Ａ、７４０Ｂ）を備えるアルファコードワード（７４０）を提供するアルファ量子化器（３４０）と、
前記複数の画像単位（６１０）の強度を変更するための複数の強度変更子から成るセットの表現である強度コードワード（７３０）を提供する強度量子化器（３３０）と、
画像単位関連インデックスのインデックスシーケンス（７５０）を提供する手段（３５０）と、
前記アルファコードワード（７４０）に基づいて、圧縮モード信号を発生する手段（３１０）と、
を具備し、
前記圧縮モード信号が第１の圧縮モードを表す場合、
前記提供する手段（３５０）は、前記画像ブロック（６００）中の少なくとも１つの画像単位（６１０）を有するサブセット毎に、前記強度変更子セットの１つの強度変更子と関連付けられる強度インデックスを備える第１のインデックスサブシーケンス（７５０Ｂ）と、前記複数の画像単位（６１０）の少なくとも一部にある画像単位（６１０）毎に、前記複数の量子化アルファ値（７４０Ａ、７４０Ｂ）からの１つの量子化アルファ値と関連付けられるアルファインデックスを備える第２のインデックスサブシーケンス（７５０Ａ）とを提供するように動作され、
前記圧縮モード信号が第２の圧縮モードを表す場合には、
前記提供する手段（３５０）は、前記画像ブロック（６００）中の画像単位（６１０）毎に、前記強度変更子セットの１つの強度変更子と関連付けられる強度インデックスを提供するように動作されるシステム。
【請求項１８】
前記発生する手段（３１０）は、前記アルファコードワード（７４０）の前記複数の量子化アルファ値（７４０Ａ、７４０Ｂ）のうちの少なくとも１つに基づいて、前記圧縮モード信号を発生する請求項１７記載のシステム。
【請求項１９】
前記発生する手段（３１０）は、前記複数の量子化アルファ値が異なる場合、第１の圧縮モード信号を発生し、前記複数の量子化アルファ値が等しい場合には、第２の圧縮モード信号を発生する請求項１８記載のシステム。
【請求項２０】
前記強度量子化器（３３０）は、前記圧縮モード信号に応答して、前記強度コードワードを提供するように構成される請求項１７から１９のいずれか１項に記載のシステム。
【請求項２１】
前記サブセットの各々は、前記画像ブロック（６００）中の２つの隣接する画像単位（６１０）を備える請求項１７から２０のいずれか１項に記載のシステム。
【請求項２２】
前記サブセットの各々は、１つの画像単位（６１０）を備え、前記強度インデックスは、前記強度変更子セットのサブセットの１つの強度変更子と関連付けられる請求項１７から２０のいずれか１項に記載のシステム。
【請求項２３】
前記第２のインデックスサブシーケンス（７５０Ａ）は、前記複数の画像単位（６１０）の第１の部分にある画像単位（６１０）毎に、前記複数の量子化アルファ値（７４０Ａ、７４０Ｂ）のうちの１つの量子化アルファ値と関連付けられるアルファインデックスを備え、前記複数の画像単位（６１０）の残る第２の部分にある各画像単位（６１０）は、前記複数の量子化アルファ値（７４０Ａ、７４０Ｂ）のうちの１つの所定の量子化アルファ値と関連付けられる請求項１７から２２のいずれか１項に記載のシステム。
【請求項２４】
画像を、各々が複数の画像単位（６１０）を備える複数の画像ブロック（６００）に分解する画像分解（２１２）と、
請求項１７から２３のいずれか１項に記載の少なくとも１つの画像ブロック圧縮システム（３００）と、
を具備する画像符号化システム。
【請求項２５】
複数の画像単位（６１０）からなる画像ブロック（６００）の圧縮画像ブロック表現（７００）であり、色コードワード（７２０）、アルファコードワード（７４０）、強度コードワード（７３０）及び画像単位関連インデックスのインデックスシーケンス（７５０）を備える圧縮画像ブロック表現（７００）を処理するシステム（４００）であって、
前記強度コードワード（７３０）に基づいて、複数の強度変更子から成るセットを提供する手段（４２０）と、
前記色コードワード（７２０）に基づいて、前記画像ブロック（６００）中の少なくとも１つの画像単位（６１０）に対して、色表現を生成する色発生器（４２０）と、
前記少なくとも１つの画像単位（６１０）に対して、前記インデックスシーケンス（７５０）に基づいて、前記強度変更子セットから１つの強度変更子を選択する変更子選択器（４４０）と、
前記選択された強度変更子に基づいて、前記少なくとも１つの画像単位（６１０）の強度を変更する強度変更器（４５０）と、
前記アルファコードワード（７４０）に基づいて、少なくとも１つのアルファ値を生成するアルファ発生器（４６０）と、
前記アルファコードワード（７４０）に基づいて、伸張モード信号を発生する手段（４１０）と、
アルファ割当器（４７０）と、
を具備し、
前記伸張モード信号が第１の伸張モードを表す場合、
前記割当器（４７０）は、前記アルファコードワード（７４０）に基づいて生成された複数のアルファ値から１つのアルファ値を選択し、前記選択されたアルファ値を前記少なくとも１つの画像単位（６１０）に割り当てるように動作され、
前記伸張モード信号が第２の伸張モードを表す場合には、
前記割当器（４７０）は、前記少なくとも１つのアルファ値を前記少なくとも１つの画像単位（６１０）に割り当てるように動作されるシステム。
【請求項２６】
前記発生する手段（４１０）は、前記アルファコードワード（７４０）により表される複数の量子化アルファ値（７４０Ａ、７４０Ｂ）のうちの少なくとも１つの量子化アルファ値（７４０Ａ）の値に基づいて、前記伸張モード信号を発生する請求項２５記載のシステム。
【請求項２７】
前記発生する手段（４１０）は、前記複数の量子化アルファ値（７４０Ａ、７４０Ｂ）が異なる場合、第１の伸張モード信号を発生し、前記複数の量子化アルファ値（７４０Ａ、７４０Ｂ）が等しい場合には、第２の伸張モード信号を発生する請求項２６記載のシステム。
【請求項２８】
前記セットを提供する手段（４２０）は、前記伸張モード信号に応答して前記セットを提供するように構成される請求項２５から２７のいずれか１項に記載のシステム。
【請求項２９】
前記第１の伸張モードにあるとき、前記インデックスシーケンス（７５０）は、前記画像ブロック（６００）中の少なくとも１つの画像単位（６１０）のサブセット毎に、前記強度変更子セットの１つの強度変更子と関連付けられる強度インデックスを備える第１のインデックスサブシーケンス（７５０Ｂ）と、前記複数の画像単位（６１０）の少なくとも一部にある画像単位（６１０）毎に、前記複数のアルファ値からの１つのアルファ値と関連付けられるアルファインデックスを備える第２のインデックスサブシーケンス（７５０Ａ）とを備え、前記第２の伸張モードにあるときには、前記インデックスシーケンス（７５０）は、前記画像ブロック（６００）中の画像単位（６１０）毎に、前記強度変更子セットの１つの強度変更子と関連付けられる強度インデックスを備える請求項２５から２８のいずれか１項に記載のシステム。
【請求項３０】
前記第２のインデックスサブシーケンス（７５０Ａ）は、前記複数の画像単位（６１０）の第１の部分にある画像単位（６１０）毎に、前記複数のアルファ値からの１つのアルファ値と関連付けられるアルファインデックスを備え、前記複数の画像単位（６１０）の残る第２の部分にある各画像単位（６１０）は、前記複数のアルファ値からの１つの所定のアルファ値と関連付けられる請求項２９記載のシステム。
【請求項３１】
前記割当器（４７０）は、前記伸張モード信号が前記第１の伸張モードを表す場合、前記少なくとも１つの画像単位（６１０）が前記複数の画像単位の前記第１の部分に属するならば、前記インデックスシーケンス（７５０）に基づいて、前記複数のアルファ値から前記アルファ値を選択し、前記少なくとも１つの画像単位（６１０）が前記複数の画像単位（６１０）の前記残る第２の部分に属するならば、前記事前定義済みアルファ値を選択するように構成される請求項３０記載のシステム。
【請求項３２】
各々が複数の画像単位（６１０）からなる画像ブロック（６００）の圧縮画像ブロック表現（７００）であり、色コードワード（７２０）、アルファコードワード（７４０）、強度コードワード（７３０）及び画像単位関連インデックスのインデックスシーケンス（７５０）を備える圧縮画像ブロック表現（７００）を複数備える符号化画像を復号するシステム（２２０）であって、
少なくとも１つの圧縮画像ブロック表現（７００）に対して、少なくとも１つの伸張画像単位表現（６１０）を判定する請求項２５から３１のいずれか１項に記載の少なくとも１つのシステム（４００）と、
画像を生成するために、前記少なくとも１つの伸張画像単位表現（６１０）を処理する手段（２２６）と、
を具備するシステム。
【請求項３３】
請求項１７から３２のいずれか１項に記載のシステム（２１０；２２０；３００；４００）を具備する画像処理端末。
【請求項３４】
複数の画像単位（６１０）からなる画像ブロック（６００）の信号表現（７００）であって、
前記複数の画像単位（６１０）の色の表現である色コードワード（７２０）と、
前記画像ブロック（６００）中の前記画像単位（６１０）の強度を変更するための複数の強度変更子から成るセットの表現である強度コードワード（７３０）と、
前記複数の画像単位（６１０）の少なくとも１つのアルファ値の表現である複数の量子化アルファ値（７４０Ａ、７４０Ｂ）を備えるアルファコードワード（７４０）と、
前記画像ブロック（６００）中の少なくとも１つの画像単位（６１０）を有するサブセット毎に、前記強度変更子セットの１つの強度変更子と関連付けられる強度インデックスを備えるインデックスシーケンス（７５０）と、
を具備する信号表現。